(57)【特許請求の範囲】
【請求項１】
機器の操作部を開閉するシャッターを有するシャッター機構であって、
上記シャッターは、
略Ｌ字型に形成され、且つ、機器側に設けられたガイド溝に沿って回転しながら移動するように操作される回動シャッター部材と、
この回動シャッター部材に連結され、この回動シャッター部材と連動して上記ガイド溝に沿って平面的に直線移動されると共に平板形状を有する直動シャッター部材と、により構成され、
上記直動シャッター部材には、上記シャッターが上記操作部を閉じた位置と開いた位置の二位置にある状態において機器側の係合部と係合し上記シャッターをその位置で固定状態に保持する板ばね部材が取り付けられてなるシャッター機構。
【請求項２】
上記ガイド溝は、機器の筺体に取り付けられる体裁部品に設けられ、かつその一部が上記筺体によって形成されてなる請求項１に記載のシャッター機構。
【請求項３】
操作部を備える携帯用機器において、
上記操作部を開閉するシャッターとして、
略Ｌ字型に形成され、且つ、機器側に設けられたガイド溝に沿って回転しながら移動するように操作される回動シャッター部材と、
この回動シャッター部材に連結され、この回動シャッター部材と連動して上記ガイド溝に沿って平面的に直線移動されると共に平板形状を有する直動シャッター部材と、により構成され、
上記直動シャッター部材には、上記シャッターが上記操作部を閉じた位置と開いた位置の二位置にある状態において機器側の係合部と係合し上記シャッターをその位置で固定状態に保持する板ばね部材が取り付けられてなる携帯用機器。
【発明の詳細な説明】
【０００１】
【発明の属する技術分野】
本発明は、機器の操作部を開閉するシャッター機構及びそのシャッター機構を備えた携帯用機器に関する。
【０００２】
【従来の技術】
例えば携帯型の音響機器においては、操作部のスイッチの誤操作を防止するために、操作部を開閉するシャッターを設け、このシャッターによって操作部を閉じることで機械的に外力を遮断するようにしたいわゆるメカニカルホールドシャッター機構を採用したものがある。
【０００３】
従来のこの種のシャッター機構の一例を図９に示す。図において４１は例えば携帯型のカセットプレーヤーを示し、このカセットプレーヤー４１の筺体４２の一面に設けられた操作部４３を開閉するためにシャッター機構４４が設けられている。
【０００４】
操作部４３には、再生スイッチ４３ａ、停止スイッチ４３ｂ、巻戻しスイッチ４３ｃ、早送りスイッチ４３ｄが配置されており、この操作部４３をシャッター４５の移動操作によって開閉するようにしている。
【０００５】
即ち図９Ａはシャッター４５によって操作部が閉じられた状態を示し、この状態では操作部４３に対する外力がシャッター４５によって機械的に遮断されることにより、操作部４３の各スイッチの誤操作つまりこれらのスイッチが不用意に押されることが防止される。
【０００６】
そしてこの状態からシャッター４５を移動させて図９Ｂに示す如く操作部４３を開くことにより、操作部４３の各スイッチを自由に操作できる状態となる。
【０００７】
このシャッター機構４４の動作機構部の構造を図１０に示す。尚、この図１０のＡ，Ｂは夫々図９のＡ，Ｂと対応しており、即ち図１０Ａはシャッターによって操作部が閉じられた状態、Ｂは開かれた状態である。
【０００８】
この図１０はシャッター機構４４を筺体の裏側から見たもので、４６は筺体に固定される固定板、４７はこの固定板４６に対し直線移動可能に取り付けられたスライド板である。このスライド板４７は連結部４８を介してシャッター４５と連結されており、即ちこのスライド板４７はシャッター４５と一体に直線移動されるようになっている。
【０００９】
固定板４６の端部とスライド板４７の端部との間には、ねじりコイルばねによりなるトグルばね４９が取り付けれており、このトグルばね４９のばね力によってスライド板４７即ちシャッター４５はその移動操作時にトグル動作が行なわれ、操作部４３を閉じた位置と開いた位置とで固定状態に保持される構造となっている。
【００１０】
【発明が解決しようとする課題】
このような従来のシャッター機構には、次のような課題がある。
即ち従来のシャッター機構は、シャッターを平面的に直線移動させるだけで操作部を開閉する構造であるため、シャッターの移動操作時にはその移動距離（ストローク）が長く感じられ、操作性が良いものとは言えない。
【００１１】
本発明はこのような課題を解決するためになされたもので、良好な操作感の得られるシャッター機構を提供することを目的としている。
【００１２】
【課題を解決するための手段】
上記の目的を達成するものとして本発明は、
機器の操作部を開閉するシャッターを有するシャッター機構において、
シャッターは、
略Ｌ字型に形成され、且つ、機器側に設けられたガイド溝に沿って回転しながら移動するように操作される回動シャッター部材と、
この回動シャッター部材に連結され、この回動シャッター部材と連動してガイド溝に沿って平面的に直線移動されると共に平板形状を有する直動シャッター部材と、
により構成され、
直動シャッター部材には、シャッターが操作部を閉じた位置と開いた位置の二位置ある状態において機器側の係合部と係合しシャッターをその位置で固定状態に保持する板ばね部材が取り付けられてなる構造としたものである。
【００１３】
このように構成される本発明のシャッター機構では、シャッターは回転移動と平面的な直線移動とが複合化した動きで移動操作されるので、見かけ上の移動距離が短く感じられ、その結果シャッターの良好な操作感が得られる。
【００１４】
【発明の実施の形態】
以下、図面を参照しながら本発明の実施の形態例について詳細に説明する。
図１及び図２は本発明のシャッター機構が適用される音響機器の一例として携帯型のカセットプレーヤーを示しており、図１はその斜視図、図２は裏返して見た斜視図である。
【００１５】
このカセットプレーヤー１はコンパクトテープカセットを記録媒体として使用し、充電池または乾電池で駆動するテープカセットのＡ／Ｂ両面を再生可能なオートリバース機能付きの携帯用機器である。
２はカセットプレーヤーの機器本体、３はその筺体、４は蓋体を示している。蓋体４は機器本体２に対し開閉可能となされており、通常の状態ではこの蓋体４は閉じ状態でロックされ、操作つまみ５を移動操作することによって蓋体４のロックを解除して蓋体４を開いた状態でテープカセットを挿入して装着する。
６はヘッドホン接続端子であり、この接続端子６にリモートコントローラー付きヘッドホン装置を接続して使用するものである。
【００１６】
このカセットプレーヤー１においては、機器本体２の側面に操作部７が設けられており、この操作部７は図１及び図２に示す状態では本発明によるシャッター機構１０によって閉じられている。
【００１７】
図３はこの操作部付近の拡大図である。
機器本体２の側面に設けられる操作部７は、いわゆるジョグスイッチ８を有してなり、即ちこのジョグスイッチ８はこれを押す操作と回転させる操作によって各種動作が行なわれるものである。例えば、図４に示す如くジョグスイッチ８を中立位置で矢印ａ方向に押すと再生／停止動作が交互に行なわれ、またジョグスイッチ８を矢印ｂ方向に回転させると巻き戻し、これと反対の矢印ｃ方向に回転させると早送り動作が行なわれる。
【００１８】
そしてこの操作部７において、ジョグスイッチ８の誤操作を防止するために本発明によるシャッター機構１０が設けられている。
【００１９】
このシャッター機構１０においては、機器本体の筺体３の稜線部を跨ぐ平板面３ａと側板面３ｂにわたってＬ字形の体裁部品である飾り枠１１が取り付けられ、この飾り枠１１の枠内を移動するようにシャッター１２が設けられている。
【００２０】
このシャッター１２は二部品即ち回動シャッター部材１３と直動シャッター部材１４とにより構成されている。
回動シャッター部材１３は操作部７のジョグスイッチ８を覆うリッド形状を有し、筺体３の側板面３ｂから平板面３ａにかけて回転しながら移動するように操作されるものである。
一方、直動シャッター部材１４は平板形状を有し、回動シャッター部材１３と連結されてこの回動シャッター部材１３と連動して筺体３の平板面３ａに沿って移動されるものである。
【００２１】
図３Ａはシャッター１２によって操作部７が閉じられた状態を示し、この状態では操作部７に対する外力がシャッター１２によって機械的に遮断されることにより、操作部７のジョグスイッチ８の誤操作つまりこのジョグスイッチ８が不用意に操作されることが防止される。
【００２２】
そしてこの状態から回動シャッター部材１３に指を掛けてシャッター１２を移動させ、図３Ｂに示す如く操作部７を開くことにより、ジョグスイッチ８を自由に操作できる状態となる。
尚、このシャッターの移動操作において回動シャッター部材１３に指を掛け易いように、回動シャッター部材１３の角部にはギザ１３ｂが形成されている。
【００２３】
このシャッター機構１０のさらに詳細な構造を図５以下で説明する。
【００２４】
図５は体裁部品である飾り枠１１の取り付け構造を裏側から見た状態で示している。
ここで飾り枠１１は樹脂成形品であり、これをアルミニウム等の軽金属製の筺体３に取り付けるものである。
【００２５】
飾り枠１１は筺体３の平板面３ａに対応する水平枠部１１ａと、側板面３ｂに対応する垂直枠部１１ｂとによりなるＬ字形に屈曲した枠部材であり、さらに垂直枠部１１ｂの裏側には後述するガイド溝２２を形成するブロック部１１ｃが一体に形成されている。
【００２６】
この飾り枠１１の水平枠部１１ａの裏面側には複数の溶着突起１５が突設され、また垂直枠部１１ｂの先端には周縁に溝１６が形成されている。
一方、筺体３はその平板面３ａにおいて、飾り枠１１の枠内に対応する部分即ちシャッター１２の配置部分が表面から一段引込んだ段面部１７となされ、この段面部１７の周囲には飾り枠１１の溶着突起１５と対応する通し穴１８が形成されており、さらに段面部１７の前方から側板面３ｂにかけての部分にはこの部分を大きく切り欠いた開放穴１９が形成されている。
【００２７】
そして飾り枠１１の水平枠部１１ａの溶着突起１５を筺体３の通し穴１８に通すと同時に垂直枠部１１ｂの溝１６を筺体３の開放穴１９の縁部に係合させ、その状態で溶着突起１５の先端部に超音波等で熱を加えてその部分を溶融させてかしめる熱溶着の手法により、飾り枠１１を筺体３に固定する。
【００２８】
図６は飾り枠１１に設けられるガイド溝２２の構造を示している。
このガイド溝（カム溝）２２は飾り枠１１の左右両側に対称的に形成されるもので、これに沿ってシャッター１２が移動されるようになっている。
このガイド溝２２は前方の円弧状の曲線部（回転動作範囲）２２ａと、これに連続する後方の直線部（直線動作範囲）２２ｂとにより形成されている。
【００２９】
ここで曲線部２２ａは、飾り枠１１の水平枠部１１ａから垂直枠部１１ｂにかけての部分とブロック部１１ｃとの間に形成されており、また直線部２２ｂは、曲線部２２ａに続く前方の一部分が水平枠部１１ａとブロック部１１ｃとの間に形成され、これより後方の大部分が水平枠部１１ａと筺体３の段面部１７との間で形成されている。
【００３０】
図７はシャッター１２の構造を裏返し状態で示している。
このシャッター１２は前述した如く回動シャッター部材１３と直動シャッター部材１４の二部品によりなり、これらは何れも樹脂成形品である。
回動シャッター部材１３は、その前部側面から外側に突出するスライドピン２４と、後方に延出される脚部１３ａの先端から外側に突出するスライドピン２５とを夫々左右両側に対称的に有し、図８に示すようにこの前後のスライドピン２４，２５が飾り枠１１のガイド溝２２の曲線部２２ａから直線部２２ｂに沿って移動可能に係合されて組み込まれる。
一方、直動シャッター部材１４は、その側面から外側に突出するスライド片２６を左右両側に有し、このスライド片２６がガイド溝２２の直線部２２ｂに沿って移動可能に係合されて組み込まれる。
【００３１】
また直動シャッター部材１４の前部両側には連結凹部２７が形成されており、この連結凹部２７に回動シャッター部材１４の後方のスライドピン２５が係合し、これによって回動シャッター部材１３と直動シャッター部材１４とが連結される。
尚、この回動シャッター部材１３と直動シャッター部材１４は、飾り枠１１を筺体３に取り付ける際にガイド溝２２に組み込まれるものである。
【００３２】
さらにこのシャッター１２においては、直動シャッター部材１４の裏面側に板金製の板ばね部材２８が取り付けられる。
この板ばね部材２８は図７で明らかなように直動シャッター部材１４の裏面側に突設される溶着突起２９と対応する穴２８ｂを有し、この穴２８ｂを溶着突起２９に通した状態で溶着突起２９の先端部を超音波等の加熱により溶融させてかしめる熱溶着によって固定される。
【００３３】
この板ばね部材２８は、その中央部にＶ字形の屈曲形状を有するばね片部２８ａが突出されており、このばね片部２８ａに対応して筺体３側には、図８に示す如く前後２箇所に係合部３０，３１が設けられている。
ここで本例では、筺体３の段面部１７の前端縁が前方の係合部３０となされ、また後方の係合部３１は筺体３の段面部１７に設けられた穴によりなり、シャッター１２が操作部７を閉じた位置にあるときには板ばね部材２８のばね片部２８ａが前方の係合部３０に係合し、シャッター１２が操作部７を開いた位置にあるときには板ばね部材２８のばね片部２８ａが後方の係合部３１に係合する構造となっている。
【００３４】
尚、図８において３２は筺体３の内部に固定される回路基板であり、この回路基板３２にジョグスイッチユニット８Ａが固定され、その操作部材であるジョグスイッチ８が飾り枠１１のブロック部１１ｃに形成された穴３３から操作部７に表出されている。
また３４はテープ駆動機構が構成されるメカデッキシャーシの一部であり、飾り枠１１はブロック部１１ｃがこのメカデッキシャーシ３４に当接して支持されることにより外圧からの強度を確保している。
【００３５】
続いて、以上の如く構成されるシャッター機構１０の詳細な動作について図８を参照して説明する。
図８Ａはシャッター１２によって操作部７が閉じられた状態であり、この状態から回動シャッター部材１３に指を掛けてシャッター１２を後方へ移動操作することにより、シャッター１２はガイド溝２２に沿って移動して図８Ｂに示すように操作部７を開いた状態となる。
またこの状態から回動シャッター部材１３に指を掛けてシャッター１２を前方へ移動操作することにより、シャッター１２はガイド溝２２に沿って移動して図８Ａに示すように操作部７を閉じた状態となる。
【００３６】
このシャッター１２の移動操作において回動シャッター部材１３は、後方のスライドピン２５がガイド溝２２の直線部２２ｂに沿って移動すると共に、前方のスライドピン２４がガイド溝２２の曲線部２２ａに沿って移動し、このため回動シャッター部材１３は後方のスライドピン２５を支点として回転しながら移動するように動作される。
一方、直動シャッター部材１４は回動シャッター部材１３と連動して、スライド片２６がガイド溝２２の直線部２２ｂに沿って移動することにより平面的に直線移動される。
【００３７】
そして図８Ａのようにシャッター１２によって操作部７が閉じられた状態では、板ばね部材２８のばね片部２８ａが前方の係合部３０に係合し、この状態ではＶ字形のばね片部２８ａが係合部３０を押圧して直動シャッター部材１４を前方へ移動させようとしており、その力によって回動シャッター部材１３が飾り枠１１のストッパー面部３５に押し付けられ、これによってシャッター１２はその位置で固定状態に保持される。
【００３８】
またこの板ばね部材２８の作用により、操作部７を閉じる方向即ち前方へシャッター１２を移動操作するときには、その動作の終端でシャッター１２が引き込まれるように移動して回動シャッター部材１３が飾り枠１１のストッパー面部３５に当たるように動作し、これによってシャッター１２の移動操作において好適な引き込み感（トグル感）を得ることができる。
【００３９】
一方、図８Ｂのようにシャッター１２を後方に移動操作して操作部７を開いた状態では、板ばね部材２８のばね片部２８ａが後方の係合部３１に係合し、その状態でＶ字形のばね片部２８ａは係合部３１の穴の前後端縁に当接して安定した状態で係合され、これによってシャッター１２の後方への移動操作の終端においてクリックストップの使用感が得られてシャッター１２はその位置で固定状態に保持される。
【００４０】
以下の如く構成され動作される本例のシャッター機構１０は次のような特徴を有している。
即ちこのシャッター機構１０においてシャッター１２の移動軌跡は、回転移動動作と平面的な直線移動動作を複合化（回転しながら平面移動も行なう）した動きであるため、シャッター１２の実際の直線移動距離Ｌ1 に対し操作部材である回動シャッター部材１３の回転移動動作での直線移動距離Ｌ2 は短く、このためシャッター１２の見かけ上の移動距離が短く感じられる。
従ってシャッター１２の移動操作においては、板ばね部材２８によるクリックストップや引き込み感が感じられない距離が短く、回転移動動作における引き込み感が主体となるため、良好な操作感覚を得ることができるものである。
【００４１】
またこのシャッター機構１０は、その構成部品が筺体を含めて５点（筺体３、飾り枠１１、回動シャッター部材１３、直動シャッター部材１４、板ばね部材２８）と少なく、構成が簡単であり、組み立ても簡単であるため、低コストでの実施が可能である。
【００４２】
さらにこのシャッター機構１０では、飾り枠１１に設けられるガイド溝２２において直線部２２ｂの一部を筺体３で形成した構造により、飾り枠１１の厚みを薄く形成できて機構全体としての薄型化を可能としている。
【００４３】
またこの構成により、外力に対するシャッター機構１０の強度が充分に確保されるようになっている。
即ち、シャッター１２が操作部７を開いた位置に移動された状態では、図８Ｂに示すように回動シャッター部材１３が機器の表面から凸出する形となるため、この状態で機器を落下させたときにはこの回動シャッター部材１３に衝撃が集中し易いが、この衝撃は飾り枠１１と筺体３とで分散して受けられる状態となり、特に金属製の筺体３で衝撃が受けられることにより充分な強度を確保できるものである。
【００４４】
またこのシャッター機構１０は、機構全体が筺体３上の独立した空間内に収められたユニット構成となっており、動作部品であるシャッター１２は機器の内部に対し筺体３で遮断されているため回路基板３２やその他の内部部品と接触するおそれがなく、また組み立て時の逃がし距離を確保する必要もないので、機構の薄型化に有効である。
【００４５】
またこのシャッター機構１０では、シャッター１２にクリックストップ及び引き込み感を与える部品として板ばね部材２８を用い、これを直動シャッター部材１４の裏面側に筺体３との間で取り付けた構造としたため、シャッター１２の移動動作においてこの板ばね部材２８が外れる等の不安定要素がなく、また板ばね部材２８を直動シャッター部材１４と筺体３との間の小空間に配した構造により、機構の薄型化に一段と有利となるものである。
【００４６】
さらにこのシャッター機構１０においてシャッター１２の操作部材である回動シャッター部材１３は、前後にスライドピン２４，２５を有し、これが左右両側に対称的に設けられてガイド溝２２に係合されており、即ち回動シャッター部材１３は４点でガイド溝２２に支持された構造であるため、安定した移動動作が行なわれると共に、外力が加わったときの耐久性が充分に確保され、高強度のシャッター機構を実現している。
【００４７】
以上、本発明の実施の形態例について説明したが、本発明はこの構成に限定されるものではない。
また本発明は例示したようなカセットプレーヤーに限ることなく、各種機器の操作部を開閉するメカニカルホールドシャッター機構に幅広く適用が可能なものである。
【００４８】
【発明の効果】
以上の説明で明らかな如く本発明のシャッター機構は、回転移動動作と平面的な直線移動動作とが複合化した動きでシャッターが移動操作されることにより、見かけ上のシャッターの移動距離が短く感じられ、その結果良好なシャッターの操作感が得られて使い勝手が向上する。
【図面の簡単な説明】
【図１】本発明によるシャッター機構が適用された携帯型カセットプレーヤーの斜視図である。
【図２】同、裏返して見た斜視図である。
【図３】同、シャッター機構の部分を拡大した斜視図であり、Ａはシャッターによって操作部が閉じられた状態、Ｂは開かれた状態である。
【図４】操作部におけるジョグスイッチの操作の説明図である。
【図５】筺体に対する飾り枠の取り付け構造を示す裏側から見た分解斜視図である。
【図６】ガイド溝の構造を示す縦断側面図である。
【図７】シャッターの構造を示す裏側から見た分解斜視図である。
【図８】本発明によるシャッター機構の縦断側面図で、Ａはシャッターによって操作部が閉じられた状態、Ｂは開かれた状態である。
【図９】従来例のシャッター機構を示す平面図で、Ａはシャッターによって操作部が閉じられた状態、Ｂは開かれた状態である。
【図１０】同、シャッター機構を裏側から見た図で、Ａはシャッターによって操作部が閉じられた状態、Ｂは開かれた状態である。
【符号の説明】
１‥‥カセットプレーヤー、２‥‥機器本体、３‥‥筺体、７‥‥操作部、８‥‥ジョグスイッチ、１０‥‥シャッター機構、１１‥‥飾り枠（体裁部品）、１２‥‥シャッター、１３‥‥回動シャッター部材、１４‥‥直動シャッター部材、２２‥‥ガイド溝、２８‥‥板ばね部材、３０，３１‥‥係合部
【図１】
0004211212.tif 000002
【図２】
0004211212.tif 000003
【図３】
0004211212.tif 000004
【図４】
0004211212.tif 000005
【図５】
0004211212.tif 000006
【図６】
0004211212.tif 000007
【図７】
0004211212.tif 000008
【図８】
0004211212.tif 000009
【図９】
0004211212.tif 000010
【図１０】
0004211212.tif 000011